(57)【特許請求の範囲】
【請求項１】
育苗容器Ａを移送する移送台１の上方に、該移送台１に左右一対のフレーム側板１６を前後に所定間隔をおいて並設し、各フレーム側板１６には回転ブラシ３のブラシ回転軸６を上下動自在に夫々軸装し、前記前側の回転ブラシ３のブラシ回転軸６の左右何れか一端には前記移送台１からの回転を伝達する伝動機構Ｔを、他端には保護キャップ３５を夫々設け、後側の回転ブラシ３Ｒのブラシ回転軸６Ｒの他端に前記移送台１からの回転を伝達する伝動機構Ｔを、一端に後側保護キャップ３５Ｒを夫々設け、前後のブラシ回転軸６の両端に一対の牽引支持部材１８を夫々取付け、各牽引支持部材１８はダイヤル２２を有する調節螺子軸１９に上下自在に取付け、左右の調節螺子軸１９は連結軸２１により連結し、前記フレーム側板１６の上部に前記連結軸２１を上方から係合させて支持する高さの相違する切替用係合段部２６を前後方向に複数設けた高さ調節装置１５を設けた育苗容器用回転ブラシ。
【請求項２】
請求項１において、前記伝動機構Ｔは、ブラシ回転軸６にブラシ歯車３２または後側ブラシ歯車３２Ｒを設け、ブラシ歯車３２または後側ブラシ歯車３２Ｒには前記移送台１の回転軸８に設けたブラシ用歯車との間にチエン３４を掛け回して構成した育苗容器用回転ブラシ。
【発明の詳細な説明】
【０００１】
【産業上の利用分野】
本発明は、育苗容器に土を供給する装置等に使用する回転ブラシの取付構成に関するものである。
【０００２】
【従来技術】
従来公知ではないが、先願の特願２０００−２４７２６１号には、ブラシ回転軸の両端に左右一対の回動アームを夫々取付け、各回動アームは移送台に回動自在に取付け、ブラシ回転軸の両端には牽引支持部材を設け、牽引支持部材はダイヤルを有する調節螺子軸に上下自在に取付け、左右の調節螺子軸は連結軸により連結し、連結軸は移送台に設けた側板の上部の高さの相違する切替用係合段部に選択係合させて支持する構成について提案されている。
【０００３】
【発明が解決しようとする課題】
前記先行技術のものは、微調節機構を工夫して、変更範囲を広くしたものであるが、単に一つの回転ブラシを設けた点に課題がある。
即ち、先行技術ものは前後にブラシを並設する思想がないから、左右に回動アームを設けており、このまま、前後に並設すると、組立て・組み付け等の作業をするスペースが必要なため、設置間隔が長くなり、全体長さを長くするという課題がある。
この点、少し工夫すると、組立て・組み付け等の作業スペースを充分に確保しつつ、回転ブラシの前後の設置間隔を短くできる。
【０００４】
【発明の目的】
設置間隔を短くした回転ブラシの前後並設の実現、作業スペースの確保。
【０００５】
【課題を解決するための手段】
本発明は、育苗容器Ａを移送する移送台１の上方に、該移送台１に左右一対のフレーム側板１６を前後に所定間隔をおいて並設し、各フレーム側板１６には回転ブラシ３のブラシ回転軸６を上下動自在に夫々軸装し、前記前側の回転ブラシ３のブラシ回転軸６の左右何れか一端には前記移送台１からの回転を伝達する伝動機構Ｔを、他端には保護キャップ３５を夫々設け、後側の回転ブラシ３Ｒのブラシ回転軸６Ｒの他端に前記移送台１からの回転を伝達する伝動機構Ｔを、一端に後側保護キャップ３５Ｒを夫々設け、前後のブラシ回転軸６の両端に一対の牽引支持部材１８を夫々取付け、各牽引支持部材１８はダイヤル２２を有する調節螺子軸１９に上下自在に取付け、左右の調節螺子軸１９は連結軸２１により連結し、前記フレーム側板１６の上部に前記連結軸２１を上方から係合させて支持する高さの相違する切替用係合段部２６を前後方向に複数設けた高さ調節装置１５を設けた育苗容器用回転ブラシとしたものである。
本発明は、前記伝動機構Ｔは、ブラシ回転軸６にブラシ歯車３２または後側ブラシ歯車３２Ｒを設け、ブラシ歯車３２または後側ブラシ歯車３２Ｒには前記移送台１の回転軸８に設けたブラシ用歯車との間にチエン３４を掛け回して構成した育苗容器用回転ブラシとしたものである。
【０００６】
【実施例】
本発明の実施例を図面により説明すると、１は育苗容器Ａを移送する移送台、２は移送台１に設けた育苗容器Ａを移送する移送ロール、３は前記移送台１の上方に設けた回転ブラシであり、回転ブラシ３は前記育苗容器Ａに余分に供給した床土４を所定量掻取りながら均平するものである。
前記回転ブラシ３は、そのブラシ回転軸６の両端を左右一対のフレーム側板１６に軸装する。フレーム側板１６は左右一対前記移送台１に設け、フレーム側板１６には前記ブラシ回転軸６を挿通する挿通孔１７を形成し、挿通孔１７は高さの相違する育苗容器Ａに合わせて回転ブラシ３が上下するのを許容する。
フレーム側板１６より側方に突出するブラシ回転軸６の両端には牽引支持部材１８の下部を夫々取付け、各牽引支持部材１８の上部には調節螺子軸１９の下部を螺合させる。２０は牽引支持部材１８に溶接固定した螺合用ナットであり、調節螺子軸１９を回転させると、牽引支持部材１８は調節螺子軸１９に対して上下動する。
【０００７】
調節螺子軸１９の上部は左右方向の連結軸２１に回転自在に取付ける。２２は調節螺子軸１９の上端に設けたダイヤル、２３は連結軸２１の下方の調節螺子軸１９に設けた係合用ナットであり、係合用ナット２３によりダイヤル２２を持ち上げると、連結軸２１が上動する。また、前記螺合用ナット２０の下方の調節螺子軸１９にはロック用ナット２４を螺合させている。
前記牽引支持部材１８には前記移送台１等の固定部との間にバネ２５を設け、常時牽引支持部材１８を下方に牽引するように付勢する。
【０００８】
しかして、前記フレーム側板１６の上縁には、前記連結軸２１を係合させる切替用係合段部２６を複数円弧上に配置形成し、複数ある切替用係合段部２６のうち何れかに選択係合させる。
この場合、前記切替用係合段部２６のうち、前記ブラシ回転軸６の鉛直上に連結軸２１が位置する中央切替用係合段部２６ａを基準段部とし、この状態で左右の調節螺子軸１９を回転させて回転ブラシ３の下端を育苗容器Ａの前壁２７の上面に接触させ、掻取り量を「零」にし、中央切替用係合段部２６ａの前後側に、順に低い切替用係合段部２６を形成し、この切替用係合段部２６に連結軸２１を係合させて回転ブラシ３の下端を育苗容器Ａの前壁前壁２７上面より下方に位置させて、床土を所定量掻き取る。
前記回転ブラシ３の後側にはブラシカバー３０を設け、ブラシカバー３０は前記連結軸２１より所定間隔を置いて下方に位置させて、作業者の手を挿入して連結軸２１を持ち上げられるようにしている。
【０００９】
しかして、図１〜図２は、理解を容易にするために回転ブラシ３を単独で図示しているが、図７以下では、これを前後に並設する。
この場合、回転ブラシ３は、ブラシ回転軸６の両端を左右一対のフレーム側板１６に軸装することにより取付けているので、前側の回転ブラシ３のブラシ回転軸６の左右何れか一端に前側ブラシ歯車３２を設け、該前側ブラシ歯車３２と移送台１の回転軸（移送ロール２の回転軸）８に設けた前側ブラシ用歯車３３との間にチエン３４を設け、前側の回転ブラシ３のブラシ回転軸６の左右何れか他端には保護キャップ３５を取付ける。
【００１０】
一方、前側の回転ブラシ３の前側ブラシ歯車３２を設けた側の反対側となる後側の回転ブラシ３Ｒの後側ブラシ回転軸６Ｒの他端（前側の回転ブラシ３の一端基準）に後側ブラシ歯車３２Ｒを設け、該後側ブラシ歯車３２Ｒと前記回転軸８に設けた後側ブラシ用歯車３３Ｒとの間に後側ブラシ用チエン３４Ｒを設け、後側のブラシ回転軸６の左右何れか一端には後側保護キャップ３５Ｒを取付ける。
即ち、回転ブラシ３のブラシ回転軸６の左右何れか一端には移送台１からの回転が伝達される伝動機構Ｔを設けるが、他端側には伝動機構Ｔを設けず保護キャップ３５のみを設け、後側の回転ブラシ３において伝動機構Ｔおよび後側保護キャップ３５Ｒは夫々反対側となるように配置して、回転ブラシ３の前後設置間隔を短くすると共に、伝動機構Ｔの周囲を広くして組立て・組み付け等の作業を容易にする。
図７では、前後のブラシ３、３Ｒにおいて、高さが相違しているが、これは図の理解を容易にするためのもので、実際の使用状態を示したものではない。但し、土の性状、供給量、掻取り量等の諸条件によっては、前側回転ブラシ３を後側回転ブラシ３Ｒに対して低くすると、掻取り精度を向上させられることがあり、どのように高さ設定するかは本願の要件ではない。
【００１１】
なお、ブラシ回転軸６と移送台１の回転軸８との間にはチエンを設けるだけで、実施可能であるが、実施例では、ブラシ回転軸６の上下に伴うチエンの緩みを防止するため、ブラシ回転軸６と移送台１の回転軸８との間に夫々回動アーム３６を設けているが、要件ではない。
したがって、フレーム側板１６の切替用係合段部２６は、中央切替用係合段部２６ａを基準に前後側の交互に低くくなるように形成すると、掻取り量の設定の精度を向上させ、好適である。
しかして、ブラシ回転軸６は、回転軸８を中心とする円弧線上であって、連結軸２１を中心とする円弧線上を移動するから、高さの相違する育苗容器Ａに合わせると、最初のブラシ回転軸６の位置が上下に変化し、各切替用係合段部２６の段差とブラシ回転軸６の下降量が比例しないことになる。
【００１２】
即ち、高さの相違する育苗容器Ａに合わせて、最初のブラシ回転軸６の位置を変化させると、各切替用係合段部２６に係合させたとき、中央切替用係合段部２６ａに対する下降量が一定とならないことになり、このずれを、中央切替用係合段部２６ａを基準に各切替用係合段部２６を前後側の交互に低くくなるように形成することにより、掻取り量の設定の精度を向上させるのである。２６ｂは第一切替用係合段部、２６ｃは第二切替用係合段部、２６ｄは第三切替用係合段部、２６ｅは第四切替用係合段部であり、順に掻取り量が多くなるように、回転ブラシ３の高さを低くする。
【００１３】
そのため、前記切替用係合段部２６のうち、前記ブラシ回転軸６と連結軸２１とが鉛直上に位置する中央切替用係合段部２６ａを基準段部とし、この状態で左右の調節螺子軸１９を回転させて回転ブラシ３の下端を育苗容器Ａの前壁前壁２７の上面に接触させ、掻取り量を「零」になるように調節し、この中央切替用係合段部２６ａの前後側に、中央切替用係合段部２６ａより順に低い切替用係合段部２６を形成する。
したがって、「零設定」の中央切替用係合段部２６ａより低い切替用係合段部２６に係合させることにより、回転ブラシ３の下端を育苗容器Ａの前壁２７上面より下方に位置させて、床土を所定量掻き取る。
【００１４】
この場合、実施例の切替用係合段部２６は、中央切替用係合段部２６ａを基準に前後側の交互に低くくなるように形成しているから、回転軸８と連結軸２１の２点を中心とする円弧移動するブラシ回転軸６の移動量の変化を最小にして、掻取り量の設定の精度を向上させる。即ち、一例として、７mm、１０mm、１２mm、１５mmの４段階の切替用係合段部２６を形成する場合、側面視、後側より１５mm（第四切替用係合段部２６ｂ）、１２mm（第三切替用係合段部２６ｂ）、０mm（中央切替用係合段部２６ａ）、７mm（第一切替用係合段部２６ｂ）、１０mm（第二切替用係合段部２６ｂ）の順に形成しているから、各切替用係合段部２６の間のずれも小さくなる。
【００１５】
なお、側面視、１５mm（第四切替用係合段部２６ｂ）、１０mm（第二切替用係合段部２６ｂ）、０mm（中央切替用係合段部２６ａ）、７mm（第一切替用係合段部２６ｂ）、１２mm（第三切替用係合段部２６ｂ）の順に形成してもよい。
しかして、牽引支持部材１８はバネ２５により常時下方に牽引されているから、調節螺子軸１９を回転させて牽引支持部材１８を下げると、牽引支持部材１８はバネ２５の弾力により下降し、反対に、調節螺子軸１９を逆回転させると、牽引支持部材１８をバネ２５の弾力に抗して上動させる。
この場合、牽引支持部材１８の上部に調節螺子軸１９の下部を螺合させているから、ダイヤル２２を回転させると、調節螺子軸１９に対して牽引支持部材１８は上下する。
【００１６】
また、連結軸２１の下方の調節螺子軸１９には係合用ナット２３を設けているから、ダイヤル２２を持ち上げると、係合用ナット２３により連結軸２１を上動させ、連結軸２１だけでなく、左右のダイヤル２２によっても連結軸２１を持ち上げて他の切替用係合段部２６に係合させて、回転ブラシ３の掻取り量を変更できる。
また、牽引支持部材１８に固定の螺合用ナット２０の下方の調節螺子軸１９にはロック用ナット２４を螺合させているから、一旦調節すると、狂いが生じない。
また、フレーム側板１６に設けたブラシ回転軸６を挿通する挿通孔１７は、回転軸８を中心とする円弧形状に形成すると、ブラシ回転軸６の上下を円滑にして好適である。
以上のように、フレーム側板１６とブラシ回転軸６との間に、高さ調節装置１５を設け、高さ調節装置１５は連結軸２１とダイヤル２２とバネ２５とフレーム側板１６の上縁に設けた複数の切替用係合段部２６により構成される。
【００１７】
【作用】
次に作用を述べる。
育苗容器Ａを移送する移送台１の上方に左右一対のフレーム側板１６を設け、一対のフレーム側板１６に回転ブラシ３を軸装し、回転ブラシ３には、ブラシ回転軸６に取付けた牽引支持部材１８と、牽引支持部材１８を上下させるダイヤル２２を有する調節螺子軸１９と、左右の調節螺子軸１９を連結した連結軸２１と、移送台１に設けたフレーム側板１６に形成した連結軸２１を係合支持する切替用係合段部２６とを有する高さ調節装置１５を設けているから、何れかの切替用係合段部２６に連結軸２１を係合させた状態で、左右の調節螺子軸１９を回転させて回転ブラシ３の下端を育苗容器Ａの前壁２７の上面に接触させ、掻取り量を「零」にし、次ぎに、ダイヤル２２または連結軸２１を持って、上方に持ち上げて前記切替用係合段部２６より低い他の切替用係合段部２６に連結軸２１を係合させると、最初の切替用係合段部２６と次ぎの切替用係合段部２６の高さ分だけ、牽引支持部材１８は下降し、これによりブラシ回転軸６も下降し、回転ブラシ３は所定高さに設定される。
【００１８】
この状態で、床土を供給した育苗容器Ａを移送台１に供給すると、移送ロール２により移送されて、回転ブラシ３の下方を通過するとき、所定量掻き取られる。
しかして、掻取り量を変更するときは、連結軸２１を複数ある切替用係合段部２６のうち他の切替用係合段部２６に係合させると、これにより連結軸２１は調節螺子軸１９を上下させ、調節螺子軸１９は牽引支持部材１８を上下させ、牽引支持部材１８はブラシ回転軸６を上下させて、回転ブラシ３の高さを変更し、掻取り量を変更する。
また、高さの相違する育苗容器Ａを使用するときは、前記したように、何れかの切替用係合段部２６に連結軸２１を係合させた状態で、左右の調節螺子軸１９を回転させて回転ブラシ３の下端を育苗容器Ａの前壁２７の上面に接触させ、掻取り量を「零」にし、次ぎに、ダイヤル２２または連結軸２１を持って、上方に持ち上げて前記切替用係合段部２６より低い他の切替用係合段部２６に連結軸２１を係合させて、回転ブラシ３を所定高さに設定する。
【００１９】
前記の場合、切替用係合段部２６は、移送台１に設けた左右一対のフレーム側板１６の上縁に円弧上に複数配置しているから、切替用係合段部２６を形成するスペースが多くなって、それだけ、変更範囲を広くできる。
即ち、固定側のフレーム側板１６に、切替用係合段部２６を設けているので、スペースを広くできる。
しかして、図７以下の実施例では、回転ブラシ３を前後に並設し、回転ブラシ３のブラシ回転軸６の左右何れか一端には伝動機構Ｔを設けるが、他端側には伝動機構Ｔを設けず保護キャップ３５、３５Ｒのみを設け、前後の回転ブラシ３において伝動機構Ｔは夫々反対側となるように配置しているから、回転ブラシ３の前後設置間隔を短くすると共に、伝動機構Ｔの周囲を広くして組立て・組み付け等の作業を容易にする。
【００２０】
即ち、前側の回転ブラシ３のブラシ回転軸６の左端に前側ブラシ用アーム３１と伝動機構Ｔを設け、前側のブラシ回転軸６の右端には保護キャップ３５を取付け、一方、後側の回転ブラシ３Ｒのブラシ回転軸６Ｒの右端（前側の回転ブラシ３の左端基準）に後側ブラシ用アーム３１Ｒと伝動機構Ｔを設け、後側のブラシ回転軸６の左端には後側保護キャップ３５Ｒを取付けているから、前後の保護キャップ３５、３５Ｒの周辺を作業空間にでき、回転ブラシ３の前後設置間隔を短くしても、回転ブラシ３の組立て・組み付け等の作業を容易にする。
【００２１】
【効果】
本発明は、育苗容器Ａを移送する移送台１の上方に、該移送台１に左右一対のフレーム側板１６を前後に所定間隔をおいて並設し、各フレーム側板１６には回転ブラシ３のブラシ回転軸６を上下動自在に夫々軸装し、前記前側の回転ブラシ３のブラシ回転軸６の左右何れか一端には前記移送台１からの回転を伝達する伝動機構Ｔを、他端には保護キャップ３５を夫々設け、後側の回転ブラシ３Ｒのブラシ回転軸６Ｒの他端に前記移送台１からの回転を伝達する伝動機構Ｔを、一端に後側保護キャップ３５Ｒを夫々設け、前後のブラシ回転軸６の両端に一対の牽引支持部材１８を夫々取付け、各牽引支持部材１８はダイヤル２２を有する調節螺子軸１９に上下自在に取付け、左右の調節螺子軸１９は連結軸２１により連結し、前記フレーム側板１６の上部に前記連結軸２１を上方から係合させて支持する高さの相違する切替用係合段部２６を前後方向に複数設けた高さ調節装置１５を設けた育苗容器用回転ブラシとしたものであるから、回転ブラシ３の前後設置間隔を短くして回転ブラシ３の組立て・組み付け等の作業を容易にしつつ、変更精度を向上させる。
本発明は、前記伝動機構Ｔは、ブラシ回転軸６にブラシ歯車３２または後側ブラシ歯車３２Ｒを設け、ブラシ歯車３２または後側ブラシ歯車３２Ｒには前記移送台１の回転軸８に設けたブラシ用歯車との間にチエン３４を掛け回して構成した育苗容器用回転ブラシとしたものであるから、回転ブラシ３の組立て・組み付け等の作業を容易にする。
【図面の簡単な説明】
【図１】  理解を容易にするために単独の回転ブラシの側面図。
【図２】  同正面図。
【図３】  同フレーム側板の側面図。
【図４】  同高さ調節装置の一部正面図。
【図５】  同調節状態断面図。
【図６】  同高さ調節装置の一部斜視図。
【図７】  回転ブラシを前後に並設した側面図。
【図８】  同展開状態の平面図。
【符号の説明】
１…移送台、２…移送ロール、３…回転ブラシ、４…床土、６…ブラシ回転軸、７…取付アーム、８…回転軸、９…歯車、１５…高さ調節装置、１６…フレーム側板、１７…挿通孔、１８…牽引支持部材、１９…調節螺子軸、２０…螺合用ナット、２１…連結軸、２２…ダイヤル、２３…係合用ナット、２４…ロック用ナット、２５…バネ、２６…切替用係合段部、２７…前壁、３０…ブラシカバー、３１…前側ブラシ用アーム、３２…前側ブラシ歯車、３３…前側ブラシ用歯車３３、３４…チエン、３５…保護キャップ、３Ｒ…後側回転ブラシ、６Ｒ…後側ブラシ回転軸、３２Ｒ…後側ブラシ歯車、３３Ｒ…後側ブラシ用歯車、３４Ｒ…後側ブラシ用チエン、３５Ｒ…後側保護キャップ。
【図１】
0004021641.tif 000002
【図２】
0004021641.tif 000003
【図３】
0004021641.tif 000004
【図４】
0004021641.tif 000005
【図５】
0004021641.tif 000006
【図６】
0004021641.tif 000007
【図７】
0004021641.tif 000008
【図８】
0004021641.tif 000009